(57)【特許請求の範囲】
【請求項１】
内筒と中筒と外筒からなり、
前記内筒は、ドアの取付孔から室外側に臨む室外側フランジ部と、この室外側フランジ部から前記取付孔に接して室内側に形成される座部と、座部からさらに室内側に延在する雄ネジ部が設けられる共に、レンズ系を備え、
前記中筒は、前記内筒の雄ネジ部に螺合される雌ネジ部と、外周に形成された雄ネジ部を備え、
前記外筒は、前記中筒の雄ネジ部に螺合される雌ネジ部と、レンズカバーが取り付けられる室内側端部を備える防犯レンズであって、
前記室内側端部は、第１のリング部と、この第１のリング部の室内側に形成され、且つ、レンズカバーの取付リングの内径と略同一の外径を有する第２のリング部と、この第２のリング部の室内側に形成され、且つ、前記第２のリング部の外径よりも小さい外径を有するリング溝と、そのリング溝の室内側に形成され、且つ、前記第２のリング部の外径と略同一の外径を有する最外端リング部とを備え、
前記第２のリング部に嵌合され、第１のリング部の側面に押し当てられる前記レンズカバーの取付リングに対し、前記室内側端部の軸方向に対して約９０度の方向から、前記リング溝に挿入され、第１のリング部と共に前記取付リングを挟みこむ止め輪を備えていることを特徴とする防犯レンズ。
【請求項２】
内筒と中筒と外筒からなり、
前記内筒は、ドアの取付孔から室外側に臨む室外側フランジ部と、この室外側フランジ部から前記取付孔に接して室内側に形成される座部と、座部からさらに室内側に延在する雄ネジ部が設けられる共に、レンズ系を備え、
前記中筒は、前記内筒の雄ネジ部に螺合される雌ネジ部と、外周に形成された雄ネジ部を備え、
前記外筒は、前記中筒の雄ネジ部に螺合される雌ネジ部と、レンズカバーが取り付けられる室内側端部を備える防犯レンズであって、
前記室内側端部は、第１のリング部と、この第１のリング部の室内側に形成され、且つ、前記第１のリング部の外径よりも小さい外径を有する幅広リング溝と、その幅広リング溝の室内側に形成され、且つ、レンズカバーの取付リングの内径と略同一の外径を有する最外端リング部を備え、
前記幅広リング溝に嵌合され、第１のリング部の側面に押し当てられる前記レンズカバーの取付リングに対し、前記室内側端部の軸方向に対して約９０度の方向から、前記幅広リング溝に挿入され、且つ、前記取付リングを挟む止め輪を備えていることを特徴とする防犯レンズ。
【請求項３】
内筒と中筒と外筒からなり、
前記内筒は、ドアの取付孔から室外側に臨む室外側フランジ部と、この室外側フランジ部から前記取付孔に接して室内側に形成される座部と、座部からさらに室内側に延在する雄ネジ部が設けられる共に、レンズ系を備え、
前記中筒は、前記内筒の雄ネジ部に螺合される雌ネジ部と、外周に形成された雄ネジ部を備え、
前記外筒は、前記中筒の雄ネジ部に螺合される雌ネジ部と、レンズカバーが取り付けられる室内側端部を備える防犯レンズであって、
前記室内側端部は、第１のリング部と、この第１のリング部の室内側に形成され、且つ、前記第１のリング部の外径よりも小さい外径を有するリング溝と、その溝の室内側に形成され、且つ、リング溝の外径よりも大きな外径を有する最外端リング部とを備え、
前記レンズカバーは、前記室内側端部の軸方向に対して、約９０度の方向から、前記室内側端部に跨がせる止め輪と、この止め輪に対し回転可能なカバー片からなり、
前記リング溝に対して、前記止め輪が挿入されることを特徴とする防犯レンズ。
【請求項４】
内筒と中筒と外筒からなり、
前記内筒は、ドアの取付孔から室外側に臨む室外側フランジ部と、この室外側フランジ部から前記取付孔に接して室内側に形成される座部と、座部からさらに室内側に延在する雄ネジ部が設けられる共に、レンズ系を備え、
前記中筒は、前記内筒の雄ネジ部に螺合される雌ネジ部と、外周に形成された雄ネジ部を備え、
前記外筒は、前記中筒の雄ネジ部に螺合される雌ネジ部と、レンズカバーが取り付けられる室内側端部を備える防犯レンズであって、
前記室内側端部は、第１のリング部と、この第１のリング部の室内側に形成され、且つ、レンズカバーの取付リングの内径と略同一の外径を有する第２のリング部と、この第２のリング部より室内側に形成され、且つ、第２のリング部の外径と略同一の外径を有するネジ部を備え、
前記レンズカバーは、前記室内側端部のネジ部の室内端から挿通され、第２のリング部の外径に嵌め合わせ、且つ、第１のリング部の側面に押し当てられ、前記ネジ部のナットで固定される取付リングを備えていることを特徴とする防犯レンズ。
【請求項５】
内筒と中筒と外筒からなり、
前記内筒は、ドアの取付孔から室外側に臨む室外側フランジ部と、この室外側フランジ部から前記取付孔に接して室内側に形成される座部と、座部からさらに室内側に延在する雄ネジ部が設けられる共に、レンズ系を備え、
前記中筒は、前記内筒の雄ネジ部に螺合される雌ネジ部と、外周に形成された雄ネジ部を備え、
前記外筒は、前記中筒の雄ネジ部に螺合される雌ネジ部と、レンズカバーが取り付けられる室内側端部を備える防犯レンズであって、
前記室内側端部は、リング部と、このリング部の室外側に形成され、且つ、前記リング部の外径よりも小さい外径を有するリング溝を備え、
前記レンズカバーは、前記室内側端部の軸方向に対して、約９０度の方向から、前記室内側端部に跨がせる止め輪と、この止め輪に対し回転可能なカバー片からなり、
前記リング溝に対し前記止め輪を取り付けることを特徴とする防犯レンズ。
【発明の詳細な説明】
【技術分野】
【０００１】
本発明は、ドアの室内から外部の様子を広範囲にわたって観察することができる防犯レンズに関する。
【背景技術】
【０００２】
ドアを施錠したまま、室内から訪問者の様子を観察できる防犯レンズは、今日の防犯意識の高まりと共に、その重要性を増している。
【０００３】
その期待に答えるため出願人は防犯レンズのトップメーカーとして、各種防犯レンズの改良を実行している。
例えば、現時点で出願公開されている最新の防犯レンズとして特許文献１を挙げることができる。
【先行技術文献】
【特許文献】
【０００４】
【特許文献１】特開２００８−１９６８９
【発明の概要】
【発明が解決しようとする課題】
【０００５】
特許文献１において開示されている防犯レンズは、内筒と外筒とを組み合わせたものである。
出願人は、かかる内筒と外筒との組み合わせで、薄いドアから厚いドアの各種ドアに取付可能な防犯レンズを提供している。
例えば、一枚ドアに取り付けられる公団用防犯レンズから、ドア厚が１００ｍｍ〜２６０ｍｍのドアに対応できるジャンボサイズの防犯レンズも提供している。
しかし、薄いドアから厚いドアまでを一台の防犯レンズで対応できる汎用性の高いものは、内筒と外筒との組み合わせでは困難であった。
なぜならば、内筒と外筒の長手方向の寸法が小さければ、厚いドアには対応できないし、内筒と外筒の長手方向の寸法が大きければ、薄いドアに対応できないからである。
出願人は、一方で、このような問題点を解決するために、内筒と外筒と間に取り付けることができる「調整ジョイント」を開発している。
しかし、この「調整ジョイント」を用いたドア巾の調整には次のような限界があった。
即ち、調整ジョイントとの間の継目が、防犯レンズの有効径内に段差として生じてしまい、光束の出射を妨げていた。
また、厚いドアに対応させるため、内筒と調整ジョイントと外筒とを最大限に引き伸ばしても、僅かの寸法が足りないことで、調整できない場合があった。
さらに、厚いドアに対し寸法的には対応できたとしても、内外筒の雄ネジと雌ネジのセット部分があることから、それだけ調整巾が減少してしまい、内外筒と調整ジョイントの各雄ネジと各雌ネジとが十分に歯合しない場合があった。
そこで、本願発明は、一台の防犯レンズによって、広範囲のレンジで、ドアの厚さに対応できる防犯レンズを提供することとし、また、レンズカバーと防犯レンズとのユニット化の提供を目的とする。
【課題を解決するための手段】
【０００６】
この目的を達成するため、内筒と中筒と外筒からなる防犯レンズであって、内筒は、ドアの取付孔から室外側に臨む室外側フランジ部と、この室外側フランジ部から前記取付孔に接して室内側に形成される座部と、座部からさらに室内側に延在する雄ネジ部が設けられる共に、レンズ系を備え、中筒は、前記内筒の雄ネジ部に螺合される雌ネジ部と、外周に形成された雄ネジ部を備え、前記外筒は、前記中筒の雄ネジ部に螺合される雌ネジ部と、レンズカバーが取り付けられる室内側端部を備えることを特徴とする防犯レンズとした（請求項１に記載の発明）。
なお、本書において、螺合或いは螺着とは、雌ネジ部と雄ネジ部とが組合わされて、相対的な運動が可能な状態を意味する。
【０００７】
前記室内側端部は、第１のリング部と、この第１のリング部の室内側に形成され、且つ、レンズカバーの取付リングの内径と略同一の外径を有する第２のリング部と、この第２のリング部の室内側に形成され、且つ、前記第２のリング部の外径よりも小さい外径を有するリング溝と、そのリング溝の室内側に形成され、且つ、前記第２のリング部の外径と略同一の外径を有する最外端リング部とを備え、前記第２のリング部に嵌合され、第１のリング部の側面に押し当てられる前記レンズカバーの取付リングに対し、前記室内側端部の軸方向に対して約９０度の方向から、前記リング溝に挿入され、第１のリング部と共に前記取付リングを挟みこむ止め輪を備えていることを特徴とする防犯レンズ（請求項１に記載の発明）とした。
【０００８】
内筒と中筒と外筒からなり、前記内筒は、ドアの取付孔から室外側に臨む室外側フランジ部と、この室外側フランジ部から前記取付孔に接して室内側に形成される座部と、座部からさらに室内側に延在する雄ネジ部が設けられる共に、レンズ系を備え、前記中筒は、前記内筒の雄ネジ部に螺合される雌ネジ部と、外周に形成された雄ネジ部を備え、前記外筒は、前記中筒の雄ネジ部に螺合される雌ネジ部と、レンズカバーが取り付けられる室内側端部を備える防犯レンズであって、前記室内側端部は、第１のリング部と、この第１のリング部の室内側に形成され、且つ、前記第１のリング部の外径よりも小さい外径を有する幅広リング溝と、その幅広リング溝の室内側に形成され、且つ、レンズカバーの取付リングの内径と略同一の外径を有する最外端リング部を備え、前記幅広リング溝に嵌合され、第１のリング部の側面に押し当てられる前記レンズカバーの取付リングに対し、前記室内側端部の軸方向に対して約９０度の方向から、前記幅広リング溝に挿入され、且つ、前記取付リングを挟む止め輪を備えていることを特徴とする防犯レンズ（請求項２に記載の発明）とした。
【０００９】
内筒と中筒と外筒からなり、前記内筒は、ドアの取付孔から室外側に臨む室外側フランジ部と、この室外側フランジ部から前記取付孔に接して室内側に形成される座部と、座部からさらに室内側に延在する雄ネジ部が設けられる共に、レンズ系を備え、前記中筒は、前記内筒の雄ネジ部に螺合される雌ネジ部と、外周に形成された雄ネジ部を備え、前記外筒は、前記中筒の雄ネジ部に螺合される雌ネジ部と、レンズカバーが取り付けられる室内側端部を備える防犯レンズであって、前記室内側端部は、第１のリング部と、この第１のリング部の室内側に形成され、且つ、前記第１のリング部の外径よりも小さい外径を有するリング溝と、その溝の室内側に形成され、且つ、リング溝の外径よりも大きな外径を有する最外端リング部とを備え、前記レンズカバーは、前記室内側端部の軸方向に対して、約９０度の方向から、前記室内側端部に跨がせる止め輪と、この止め輪に対し回転可能なカバー片からなり、前記リング溝に対して、前記止め輪が挿入されることを特徴とする防犯レンズ（請求項３に記載の発明）とした。
【００１０】
内筒と中筒と外筒からなり、前記内筒は、ドアの取付孔から室外側に臨む室外側フランジ部と、この室外側フランジ部から前記取付孔に接して室内側に形成される座部と、座部からさらに室内側に延在する雄ネジ部が設けられる共に、レンズ系を備え、前記中筒は、前記内筒の雄ネジ部に螺合される雌ネジ部と、外周に形成された雄ネジ部を備え、前記外筒は、前記中筒の雄ネジ部に螺合される雌ネジ部と、レンズカバーが取り付けられる室内側端部を備える防犯レンズであって、前記室内側端部は、第１のリング部と、この第１のリング部の室内側に形成され、且つ、レンズカバーの取付リングの内径と略同一の外径を有する第２のリング部と、この第２のリング部より室内側に形成され、且つ、第２のリング部の外径と略同一の外径を有するネジ部を備え、前記レンズカバーは、前記室内側端部のネジ部の室内端から挿通され、第２のリング部の外径に嵌め合わせ、且つ、第１のリング部の側面に押し当てられ、前記ネジ部のナットで固定される取付リングを備えていることを特徴とする防犯レンズ（請求項４に記載の発明）とした。
【００１１】
内筒と中筒と外筒からなり、前記内筒は、ドアの取付孔から室外側に臨む室外側フランジ部と、この室外側フランジ部から前記取付孔に接して室内側に形成される座部と、座部からさらに室内側に延在する雄ネジ部が設けられる共に、レンズ系を備え、前記中筒は、前記内筒の雄ネジ部に螺合される雌ネジ部と、外周に形成された雄ネジ部を備え、前記外筒は、前記中筒の雄ネジ部に螺合される雌ネジ部と、レンズカバーが取り付けられる室内側端部を備える防犯レンズである（請求項５に記載の発明）。
【００１２】
前記室内側端部は、リング部と、このリング部の室外側に形成され、且つ、前記リング部の外径よりも小さい外径を有するリング溝を備え、前記レンズカバーは、前記室内側端部の軸方向に対して、約９０度の方向から、前記室内側端部に跨がせる止め輪と、この止め輪に対し回転可能なカバー片からなり、前記リング溝に対し前記止め輪を取り付けることを特徴とする防犯レンズ（請求項５に記載の発明）とした。
【発明の効果】
【００１３】
本発明によれば、一台の防犯レンズで、薄いドアから厚いドアに応じて、短い寸法から超長い寸法まで自由に調整でき、汎用性が高い防犯レンズを提供することできる。
また、内筒に入射する光束は、内筒から中筒へ、中筒から外筒へと進行する場合に、各内径が段々に拡大していくことから、調整ジョイントを用いた場合のように有効径内に各筒の継目が段差として現れることはなく、見やすい防犯レンズとなっている。
【図面の簡単な説明】
【００１４】
【図１】防犯レンズの分解斜視図である。
【図２】同防犯レンズの断面図である。
【図３】同防犯レンズの各筒を伸延させた状態の断面図である。
【図４Ａ】防犯レンズの改良された内筒の斜視図である。
【図４Ｂ】防犯レンズの改良された内筒の斜視図である。
【図４Ｃ】防犯レンズの改良された内筒の斜視図である。
【図４Ｄ】防犯レンズの改良された内筒の斜視図である。
【図４Ｅ】防犯レンズの改良された内筒の斜視図である。
【図４Ｆ】防犯レンズの改良された内筒の斜視図である。
【図４Ｇ】防犯レンズの改良された内筒の斜視図である。
【図４Ｈ】防犯レンズの改良された内筒の作用説明図である。
【図５】防犯レンズの改良された外筒の斜視図である。
【図６】防犯レンズの改良された外筒の側面図である。
【図７】防犯レンズの改良された外筒の側面図、レンズカバーの斜視図及び外筒の室内側端部の断面図である。
【図８Ａ】防犯レンズの改良された外筒の側面図である。
【図８Ｂ】防犯レンズの改良された外筒の斜視図である。
【図９】（Ａ）防犯レンズカバーの斜視図、（Ｂ）レンズカバーの分解斜視図である。
【図１０】防犯レンズの改良された外筒の側面図である。
【発明を実施するための形態】
【００１５】
本発明に係る防犯レンズＡは、図１乃至図３に図示したように、内筒１と中筒Ｍと外筒２からなる防犯レンズであって、内筒１は、螺合状態で中筒Ｍにのみ込まれるように取付けられ、中筒Ｍは、螺合状態で外筒２にのみ込まれるように取り付けられると共に、内筒１に対して中筒Ｍがスライド可能に、中筒Ｍに対して外筒２がスライド可能に構成されている。
よって、防犯レンズＡをドアＤＲに取り付ける場合に、ドア巾を気にすることなく、防犯レンズを固着させることができる。
なお、上記各図において、各図に付された同一の符号は、同一の構成を示すもので、同一の作用効果を奏するものとする。
【００１６】
前記内筒１は、ドアの取付孔ＤＲ１から室外側に臨む室外側フランジ部１０と、この室外側フランジ部１０から前記取付孔ＤＲ１に接して室内側に形成される座部１３と、座部１３からさらに室内側に延在する雄ネジ部１１を備える共に、レンズ系１２が収納されている。
【００１７】
前記室外側フランジ部１０は、その裏面が取付孔ＤＲ１の周囲に当接されて、中筒Ｍを介して後述の外筒２の室内側端部２０と共に、ドアに圧着されるようになっている。
前記座部１３は、取付孔ＤＲ１に対して内筒１を安定的に配置するもので、取付孔ＤＲ１の径と略同一の外径を備えており、ドアの板厚Ｗ１より若干の厚さを加えて形成されている。
前記座部１３の外径と外筒２の外周２１の外径は、略等しいように形成されており、これらの構成に対応するように、室外側のドア取付孔ＤＲ１と室内側のドア取付孔ＤＲ１は、それぞれ同一の径にて、且つ、円形に構成され挿通されている。
前記雄ネジ部１１は、内筒外周面の略全面に形成されているもので、前記中筒Ｍの雌ねじ部Ｍ１と螺合されるものである。
前記レンズ系１２は、図２のように対物レンズとしての凹レンズ１２０，１２１と、接眼レンズとしての凸レンズ１２２からなる。対物レンズ１２０の室外側に超広角レンズ（魚眼レンズ）１２３を配置することで視界を約２００°まで確保することができる。
【００１８】
前記中筒Ｍは、前記内筒１の雄ネジ部１１に螺合される雌ネジ部Ｍ１と、外周の室内側に形成された雄ネジ部Ｍ２を備えている。
前記雌ネジ部Ｍ１は、中筒内周面の略全面に形成されており、内筒１と中筒Ｍとが強固を螺着させて、レンズ系１２の光軸と防犯レンズＡの中心線とのズレを抑えることができる。
【００１９】
前記外筒２は、前記中筒Ｍの雄ネジ部Ｍ２に螺合される雌ネジ部２６と、レンズカバー３が取り付けられる室内側端部２０を備えている。
前記雌ネジ部２６は、外筒内周面の略全面に形成されているもので、全範囲に亘って中筒Ｍの雄ネジ部Ｍ２が螺合されるようになっている。
【００２０】
以上のように構成された防犯レンズＡの取付は、内筒１と中筒Ｍを螺着させたまま、室外側の取付孔ＤＲ１から室内側に挿入し、室内側の取付孔ＤＲ１から外筒２を室外側に挿入して、その外筒２と中筒Ｍとを螺着させればよい。
【００２１】
以上のように構成された防犯レンズＡの作用効果は次の通りである。
内筒１を中筒Ｍに潜り込ませ、その中筒Ｍを外筒２に潜り込ませた状態が、図２に図示されており、この状態がドア巾ＤＷの最小幅（例えば３０ｍｍ）となる。
一方、内筒１に対して中筒Ｍを室外側に螺着させつつスライドし、その中筒Ｍに対して外筒２を螺着させつつスライドさせた場合が、図３に図示されていて、この状態がドア巾ＤＷの最大幅（例えば９０ｍｍ）となっている。
よって、この防犯レンズＡによれば、最小幅は内筒１の長手方向（筒の中心軸の方向）の寸法と略同一の長さに収まり、最大幅は内筒１の長手方向の寸法の約３倍まで拡大され、ドア巾ＤＷに対して汎用性が高い防犯レンズを提供することができる。
また、内筒１、中筒Ｍ及び外筒２の其々の長手方向の寸法を変えることにより、さらに広範囲のレンジで、ドアの厚さに対応できる防犯レンズを提供することができる。
【００２２】
前記レンズカバー３は、室内側端部２０の覗き窓を覆うカバー片３ａと、このカバー片３ａを防犯レンズＡに取付けるための取付リング３０からなり、これらカバー片３ａ及び取付リング３０の各連結片３１，３２がリベット等を介して、カバー片３ａは取付リング３０に対し、振り子状に回転可能に取付けられている。
このようなレンズカバー３を付けた場合には、室外から防犯レンズを通じて室内の様子を伺う不審者が室内の明暗によって居住者が在宅しているか否かを判断することを防止できるほか、防犯レンズにホコリが入ることを防止でき、また水滴がレンズに付き難く、レンズが曇らないという利点がある。
さらに、前記レンズカバー３を取り付けることにより、室外側からレンズ系１２を破壊して、針金等を用いてサムターン回し等の不正な行為をしようとしても、レンズカバー３のカバー片３ａによって針金等の侵入を阻止することができる。
また、後述のユニット式のレンズカバー６であっても、同様にカバー片３ａがカシメ部分（連結片３１、３２）で、強固に取り付けられているので、室外側から室内を覗くことができないばかりでなく、サムターン回し等の不正な行為を排除できる。
【００２３】
次に、図４Ａ〜図４Ｈを基に、前記内筒１の改良点を説明する。
図４Ａのように、ドアＤＲの室外側に臨む室外側フランジ部１０と、この室外側フランジ部１０から前記取付孔ＤＲ１に接して室内側に膨出する首長部１４と、首長部１４からさらに室内側に延在する雄ネジ部１１を備える内筒１とした。
前記首長部１４の周面１４Ａには、少なくとも一面の切欠１４０が形成されていると共に、前記首長部１４は、内筒１をドアの取付孔ＤＲ１から浮き上がらせて、室外側フランジ部１０を摘まみ、内筒１を回転させようとすることを妨げるもので、前記ドア面材ＤＲ２の取付孔ＤＲ１の幅寸法Ｗ１（図４Ａ参照）に対して少なくとも７倍の高さ寸法Ｗ２で形成されている。
【００２４】
前記首長部１４は、前記座部１３の機能に加え、内筒１をドアの取付孔ＤＲ１から浮き上がらせてその内筒１を摘まみ回転させようとすることを防ぐ機能を発揮するもので、例えば取付孔ＤＲ１の幅寸法Ｗ１に対して、約７〜１２倍程度の高さ寸法で形成されている。
なお、この実施例では、取付孔ＤＲ１の幅寸法Ｗ１が約０．７ｍｍ程度に想定され、高さ寸法Ｗ２が約８ｍｍ程度に形成されている。
前記切欠１４０は円柱状の首長部１４の円頂面に対して垂直方向に、例えばフライス等で切削加工して三日月部を切り欠いたものである。その三日月状の切欠が、他の周面に隣接させて２個所又は３個所に形成された場合、その他、多面的に形成される場合にも有効である。
図４Ａに図示したように、首長部１４の形状に対応させて、取付孔ＤＲ１には、三日月を欠いた係合部１５が設けられている。
なお、この係合部１５の存在により、前記中筒Ｍの挿入が困難な場合には、中筒Ｍと外筒２とを螺合させて、室内側の取付孔ＤＲ１より挿入すればよい。
【００２５】
図４Ｂでは、周面１４Ａの対称的な位置で、三日月状に切り欠いた両面に切欠１４０を形成し、これに対応させて、取付孔ＤＲ１には、三日月を欠いた係合部１５、１５が設けられている。
【００２６】
図４Ｃでは、周面１４Ａを三角形状に切り欠いて切欠１４０を形成し、これに対応させて、取付孔ＤＲ１には、三角形状の係合部１５が設けられている。
【００２７】
図４Ｄでは、周面１４Ａを四角形状に切り欠いて切欠１４０を形成し、取付孔ＤＲ１には、四角形状の係合部１５が設けられている。
【００２８】
その他、図４Ｅのように、周面１４Ａを多角形状に切り欠いて切欠１４０を形成し、取付孔ＤＲ１には、多角形状の係合部１５を設けるようにしてもよい。
【００２９】
図４Ｆでは、前記首長部１４の周面１４Ａの１部を、略Ｖ字状或いは略Ｕ字状に切欠いて切欠１４０とし、一方、この形状に対応させて、前記取付孔ＤＲ１に係合部１５を成形している。
【００３０】
図４Ｇでは、前記首長部１４の周面１４Ａの１部に凸状の切欠１４０を設け、一方、この形状に対応させて、前記取付孔ＤＲ１に凸状の係合部１５を成形している。
【００３１】
以上のような構成の防犯レンズＢによる作用効果を図４Ｈに示す。
室外側に臨んでいる内筒１の室外側フランジ部１０を強打し、ドア面材ＤＲ２を室内側に凹ませて、室外側フランジ部１０を浮き出せても、取付孔ＤＲ１の係合部１５が首長部１４の切欠１４０に係合されて、内筒１の回転が妨げられており、内筒１を摘まんで回転させようとすることを防ぐ機能を発揮させることができる。よって、室外から内筒１を取外した後、中筒Ｍ及び外筒２を室内側に押し落とし、防犯レンズを取除くことはできず、居住者に安心感を与えることができる。
【００３２】
なお、ドアＤＲの取付孔ＤＲ１を介して内筒１と外筒２を螺着させると共に、内筒１はドアＤＲの室外側に臨む室外側フランジ部１０と、この室外側フランジ部１０から前記取付孔ＤＲ１に接して室内側に膨出する前記首長部１４と、首長部１４からさらに室内側に延在する雄ネジ部１１を備え、前記外筒２は、レンズカバーが取り付けられる室内側端部２０を備える防犯レンズとしてもよい。
【００３３】
次に、図５〜図１０に基いて、前記外筒２の改良点を説明する。
図５のように、前記外筒２の室内側端部２０は、前記内筒１の室外側フランジ部１０と共に、ドアに密着される第１のリング部２２と、この第１のリング部２２の室内側に形成され、且つ、前記レンズカバー３の取付リング３０の内径３０ａと略同一の外径２３ａを有する第２のリング部２３と、この第２のリング部２３の室内側に形成され、且つ、前記第２のリング部２３の外径２３ａよりも小さい外径２４ａを有するリング溝２４と、その溝２４の室内側に形成され、且つ、前記第２リング部２３の外径２３ａと略同一の外径２５ａを有する最外端リング部２５とからなる。
この室内側端部２０に対しては、前記リング溝２４に取り付けられる止め輪４と、この止め輪４と前記第１のリング部２２間に挟まれ、且つ、前記第２のリング部２３に取付リング３０が嵌められて前記レンズカバー３が取付可能である。
【００３４】
前記第１のリング部２２は、その側面２２０により、止め輪４と共に、レンズカバー３の取付リング３０を挟みこむもので、前記取付リング３０の外径と略同一の外径２２ａを備えている。
前記第２のリング部２３は、前記レンズカバー３の取付リング３０の内径３０ａと略同一の外径２３ａを有すると共に、前記取付リング３０の厚さ３０ｔと略同一の高さ２３ｈを備えている。よって、レンズカバー３の取付リング３０を安定的に載置させ、配置することができる。
前記リング溝２４は、前記止め輪４の自由端４０、４０を食込ませる（跨がせる）もので、前記止め輪４の厚さ４ｔと略同一の溝幅２４ｈを備えている。よって、止め輪４を安定的に、且つ、回動し難いように取り付けることができるようになっている。
【００３５】
最外端リング部２５は、前記第２のリング部２３の外径２３ａと略同一の外径２５ａを有すること、すなわち、レンズカバー３の取付リング３０の内径３０ａと略同一の外径２５ａを有することから、レンズカバー３の取付リング３０を挿通させることができるようになっている。
なお，符号「２７」は硬貨等を用いて、内筒１、中筒Ｍ及び外筒２を絞付け可能にするための溝である。
【００３６】
前記止め輪４は、クリセント形止め輪と称されるもので、前記室内側端部２０の軸方向に対して、約９０度の方向から、前記リング溝２４に挿入される。
前記止め輪４は、前記第１のリング部２２と共にレンズカバー３の取付リング３０を挟みこむことができるものであれば、この型に限定されるものではない。
【００３７】
以上のように構成された外筒２を備えた防犯レンズＣにおいては、前記室内側端部２０の最外端リング部２５から、レンズカバー３の取付リング３０を挿通させ、そのリング３０を第２のリング部２３に嵌合させて、第１のリング部２２の側面２２０に押し当てる。そして前記レンズカバー３の各連結片３１，３２を避けつつ、前記リング溝２４に対して、前記止め輪４を前記室内側端部２０の軸方向に対して約９０度の方向から挿入する。
これによって、防犯レンズＣにレンズカバー３が一体となって、ユニット化される。
【００３８】
以上のような構成の防犯レンズＣによれば、次のように作用効果を奏する。
（１）  レンズカバーに着目すれば、既存のレンズカバー３の構成を利用することで、コストを抑えことができる。
（２）  レンズカバー３が防犯レンズと一体となってユニット化されているので、前記外筒２の室外側先端より、前記取付リング３０をくぐらせる等のレンズカバー３の取付のための作業（以下、従来例ともいう）が不要となり、ドアに対する防犯レンズの取付が容易である。
（３）  レンズカバー３の取付リング３０が、第２のリング部２３に固定されている構成ではないので、カバー片３ａの位置調整が容易である。
また、レンズカバー３のカシメ部分（各連結片３１，３２）が真上に合わせられるように、左右に多少、動かしながら調整できるので、レンズカバー３の取付作業が簡単に早くできる。
（４）  従来の方式のように、前記外筒２の室外側先端より、前記取付リング３０をくぐらせ、その取付リング３０を前記第１のリング部２２とドアとの間で締め付ける場合には、外筒２の雌ねじ２６の締め付けが弱いと、取付リング３０が逆さに回転して、カバーが上向きに開くようになってしまうことが検査の段階でみられるが、レンズカバー３が防犯レンズＢと一体となってユニット化されている場合にはこれを避けることができる。
（５）  第１のリング部２２と、レンズカバー３の取付リング３０と、止め輪４との各外径が略等しいので、シンプルな外形となっている。
（６）  最外端リング部２５の室内端にレンズカバー３のカバー片３ａを密着させることができる。
その他の構成は、上記各防犯レンズと同一であるので、同様な作用効果を奏する。
【００３９】
図６に示す防犯レンズＤの外筒２の室内側端部２０は、第１のリング部２２と、この第１のリング部２２の室内側に形成され、且つ、前記第１のリング２２の外径２２ａよりも小さい外径２８ａを有する幅広リング溝２８と、その溝２８の室内側に形成され、且つ、レンズカバー３の取付リング３０の内径３０ａと略同一の外径２９ａを有する最外端リング部２９を備えている。かかる室内側端部２０に対しては、前記リング溝２８に取付けられる止め輪４と、この止め輪４と前記第１のリング部２２間に挟まれる取付リング３０を備えたレンズカバー３が取り付けられる。
【００４０】
この防犯レンズＤが、防犯レンズＣの外筒２と異なる点は、前記リング溝２４に代えて、幅広のリング溝２８に構成したことである。
よって、この幅広リング溝２８の溝幅２８ｔは、前記取付リング３の厚さ３０ｔと止め輪４の厚さ４ｔの合計幅に構成されている。
なお、最外端リング部２９は、前記防犯レンズＣの最外端リング部２５に対応するものである。
その他の構成は、上記各防犯レンズと同一であるので、同様な作用効果を奏する。
【００４１】
図７（Ａ）に図示した外筒２の室内側端部２０は、第１のリング部２２と、この第１のリング部２２の室内側に形成され、且つ、前記第１のリング２２の外径２２ａよりも小さい外径２４ａを有するリング溝２４と、その溝２４の室内側に形成され、且つ、リング溝２４の外径２４ａよりも大きな外径５ａを有する最外端リング部５とする。
かかる室内側端部２０に対し、図７（Ｂ）のように、前記レンズカバー３の取付リング３０に代えて前記止め輪４にカバー３ａを取り付けたレンズカバー６が、前記リング溝２４に取り付けられている。
【００４２】
前記最外端リング部５の外径５ａは、第１のリング部２２の外径２２ａと等しいか、それ以下に形成すればよい。
この最外端リング部５から前記レンズカバー６を挿入する必要はないからである。
前記レンズカバー６は、止め輪４の中央上部に連結片３１を設けて、この連結片３１とカバー３ａの連結片３２とを介して、カバー片３ａを止め輪４に対し振り子状に回転可能に構成したものである。
前記レンズカバー６の止め輪４は、前記カバー３ａを取り付けることができるものであれば、クリセント形止め輪に限定されるものではない。例えば室内側端部２０に溝を切る必要がないグリップ形止め輪でもよい。
また、前記リング溝２４の形状は、前記室内側端部２０の全周に亘って円形に形成する必要はなく、図７（Ｃ）のように、前記止め輪４の輪郭に合わせた溝でもよい。かかる構成は、各実施例においも同様である。
【００４３】
以上のような構成の外筒２を備えた防犯レンズＥは、前記室内側端部２０の前記リング溝２４に対して、前記レンズカバー６の止め輪４を前記室内側端部２０の軸方向に対して約９０度の方向から挿入し、一体化すればよい。
よって、この防犯レンズＥにおいては、予めレンズカバー６を一体化したものをドアに螺着させてもよく、また、内筒１と外筒２をドアに螺着させた後、前記リング溝２４にレンズカバー６の止め輪４を取り付けてもよい。
その他の構成及び効果は、上記各防犯レンズと同一であるので、詳細な説明は省略する。
【００４４】
図８Ａ及び図８Ｂのように、外筒２の室内側端部２０は、第１のリング部２２と、この第１のリング部２２の室内側に形成され、且つ、レンズカバー３の取付リング３０の内径３０ａと略同一の外径２３ａを有する第２のリング部２３と、この第２のリング部２３より室内側に形成され、且つ、第２のリング部２３の外径２３ａと略同一の外径７ａを有するネジ部としての雄ネジ部７と、このネジ部７に螺着されるナット８からなり、前記第１のリング部２２間にその取付リング３０が挟まれたレンズカバー３がセットされる。
【００４５】
このような外筒２の防犯レンズＦでは、ナット８として、６角ナットを用いたが、丸ナットでもよいし、その角数はどうようなものでもよい。
また、上記各実施例で示した硬貨用溝２７は、ネジ部７の室内端に形成することができる。
【００４６】
以上のように構成された防犯レンズＦにおいては、前記室内側端部２０のネジ部７の室内端から、レンズカバー３の取付リング３０を挿通させ、第２のリング部２３の外径２３ａに嵌め合わせる。そして前記リング３０を第１のリング部２２の側面２２０に押し当てると共に、前記ネジ部７にナット８を欽締させればよい。
その他の構成及び効果は、上記各防犯レンズと同様であるため、詳細な説明は省略する。
【００４７】
図９に基き、前記レンズカバー６の構成を詳述すれば次の通りである。
該レンズカバー６は、前記室内側端部２０の軸方向Ｘ−Ｘ（図１０）に対して、交差する方向、即ち、約９０度の方向から、前記室内側端部２０のリング部９等の室外側に跨がせる止め輪４と、前記端部２０の覗き窓２０ａを覆うカバー片３ａからなり、該カバー片３ａは、その外周に設けられた連結片３２と、止め輪４の外周４１の中央に設けられ、且つ、前記リング部９の厚さを逃げる折曲片３３が設けられて立上る連結片３１を介して、止め輪４に対して振り子状に回動可能に構成されている。
【００４８】
前記止め輪４は、閉じられた輪ではなく、開放端、即ち、自由端４０、４０を備えたもので、前記室内側端部２０に跨がせることができるようになっている。
前記各連結片３１、３２は、リベット等で、カバー片３ａを振り子状、即ち、前記室内側端部２０の軸方向Ｘ−Ｘに対して交差する方向に回動させるようになっているが、図９（Ｂ）のように、各連結片３１、３２を輪状にして、これらを軸で取り付けて、カバー片３ａをめくるように、即ち、前記室内側端部２０の軸方向Ｘ−Ｘに沿う方向に回動させるように構成してもよい。
かかる構成のレンズカバー６は、上記各実施例においても、用いることができる。
【００４９】
図１０の外筒２の室内側端部２０は、リング部９と、このリング部９の室外側に形成され、且つ、前記リング部９の外径９ａよりも小さい外径２４ａを有するリング溝２４を備えている。
前記リング部９は、前記第１のリング部２２と機能を共通にするもので、前記内筒１の室外側フランジ部１０と共に、ドアに密着されるものである。
前記リング溝２４は、前記室内側端部２０を跨がせた前記レンズカバー６の止め輪４を取り付けるもので、外筒２の外径２ａよりも小さな外径２４ａの溝からなる。
この溝２４の深さは、止め輪４を嵌合させることができればよく、例えばその外周４１がリング部９の外周９０と面一になることが好ましいが、これに限定されるものではない。
また、この溝２４を設けずに、上述のように前記止め輪４を前記リング部９の室外側に跨がせてもよい。
なお、上記外筒２を備えた防犯レンズＧは、従来例のように（図１参照）、前記外筒２の室外側先端より、前記取付リング３０をくぐらせる必要はなく、前記止め輪４を前記外筒２のリング部９の室外側に跨がせた状態で、その外筒２と内筒１とが螺着されてドアに固定される。
その他の構成及び効果は、上記各実施例と同様である。
【符号の説明】
【００５０】
Ａ  Ｂ  Ｃ  Ｄ  Ｅ  Ｆ  Ｇ  防犯レンズ
ＤＲ  ドア                              ＤＲ１  取付孔
１  内筒                                １０  室外側フランジ部
１１  雄ネジ部                          １２  レンズ系
１３  座部                              １４  首長部
１４０  切欠                            １５  係合部  
１２０  １２１  凹レンズ                １２２  凸レンズ
１２３  広角レンズ
Ｍ  中筒                                Ｍ１  雌ネジ部
Ｍ２  雄ネジ部
２  外筒                                ２ａ  外径
２０  室内側端部                        ２０ａ  覗き窓
２１  外周
２２  第１のリング部                    ２２ａ  外径
２２０  側面                            ２２１  他側面
２３  第２のリング部                    ２３ａ  外径
２３ｈ  高さ
２４  リング溝                          ２４ａ  外径
２４ｈ  溝幅
２５  最外端リング部                    ２５ａ  外径
２６  雌ネジ部                          ２７  硬貨用溝
２８  幅広リング溝                      ２８ａ  外径
２８ｔ  幅広リング溝の溝幅
２９  最外端リング部                    ２９ａ  外径
３  レンズカバー                        ３ａ  カバー片
３０  取付リング                        ３０ａ  内径
３０ｂ  外径                            ３０ｔ  取付リングの厚さ
３１  ３２  連結片
４  止め輪                              ４０  ４０  止め輪の自由端
４ｔ  止め輪の厚さ
５  最外端リング部                      ５ａ  外径
６  レンズカバー
７  ネジ部
８  ナット
９  リング部                            ９ａ  外径
９０  外周
【図１】
0005411058.tif 000002
【図２】
0005411058.tif 000003
【図３】
0005411058.tif 000004
【図４Ａ】
0005411058.tif 000005
【図４Ｂ】
0005411058.tif 000006
【図４Ｃ】
0005411058.tif 000007
【図４Ｄ】
0005411058.tif 000008
【図４Ｅ】
0005411058.tif 000009
【図４Ｆ】
0005411058.tif 000010
【図４Ｇ】
0005411058.tif 000011
【図４Ｈ】
0005411058.tif 000012
【図５】
0005411058.tif 000013
【図６】
0005411058.tif 000014
【図７】
0005411058.tif 000015
【図８Ａ】
0005411058.tif 000016
【図８Ｂ】
0005411058.tif 000017
【図９】
0005411058.tif 000018
【図１０】
0005411058.tif 000019